(57)【要約】【課題】  マルチピース型眼用インサート及びインサートを備える眼用レンズをパターン化するための方法及び装置を提供する。【解決手段】  いくつかの実施形態において、眼用レンズは、シリコーンヒドロゲルから鋳造成形され、このレンズは、パターン化された封止及び封入されたマルチピース型眼用インサート部分を含む。【選択図】  図１
2014182387.tif 000002
【特許請求の範囲】
【請求項１】
眼用レンズのためのマルチピース型インサートデバイスであって、
第１のインサートの後方湾曲ピースと、
前記第１のインサートの後方湾曲ピースに近接した第１のインサートの前方湾曲ピースと、
前記第１のインサートの前方湾曲ピース及び前記第１のインサートの後方湾曲ピースのうちの一方又は両方の上の導電性材料のパターンと、
前記第１のインサートの前方湾曲ピース及び前記第１のインサートの後方湾曲ピースのうちの一方又は両方に取り付けられる電子コンポーネントであって、取り付けが前記導電性材料に対して少なくとも部分的に行われる、電子コンポーネントと、
前記第１のインサートの前方湾曲ピース及び前記第１のインサートの後方湾曲ピースのうちの一方又は両方の表面上の第１の着色剤パターンと、を備える、デバイス。
【請求項２】
前記第１の後方湾曲ピースに接触した少なくとも第２のインサートの後方湾曲ピースを更に備える、請求項１に記載のデバイス。
【請求項３】
前記第１の着色剤パターンが角膜縁輪パターンである、請求項１に記載のデバイス。
【請求項４】
前記第１の着色剤パターンが虹彩パターンである、請求項１に記載のデバイス。
【請求項５】
前記第１の着色剤パターンが、前記インサート内のコンポーネントの外観を変化させることによって前記コンポーネントの観察を妨害するカモフラージュパターンである、請求項１に記載のデバイス。
【請求項６】
前記第１の着色剤パターン内に、前記パターン化が可視光の前記インサート表面の通過を可能にする第１の領域が存在する、請求項１に記載のデバイス。
【請求項７】
前記インサートの前方湾曲ピースと前記インサートの後方湾曲ピースとの間であり、かつ前記パターン化が可視光の通過を可能にする前記第１の領域の後方に、光検出器が位置付けられる、請求項６に記載のデバイス。
【請求項８】
前記第１の着色剤パターン内に、可視光に対して不透明な着色剤を備える第２の領域が存在する、請求項６に記載のデバイス。
【請求項９】
前記インサートの前方湾曲ピースと前記インサートの後方湾曲ピースとの間であり、かつ前記第１の着色剤パターン内の前記第２の領域の後方に、集積回路デバイスの少なくとも一部分が存在する、請求項８に記載のデバイス。
【請求項１０】
前記角膜縁輪パターンが黒色の着色剤を備える、請求項３に記載のデバイス。
【請求項１１】
眼用レンズデバイスであって、
少なくとも第１のインサートの後方湾曲ピースと、
少なくとも第１のインサートの前方湾曲ピースと、
前記第１のインサートの前方湾曲ピース及び前記第１のインサートの後方湾曲ピースのうちの一方又は両方の上の導電性材料と、
前記第１のインサートの前方湾曲ピース及び第１のインサートの後方湾曲ピースのうちの一方又は両方に取り付けられる電子コンポーネントであって、取り付けが前記導電性材料に対して行われる、電子コンポーネントと、
封入層であって、前記インサート封入層がヒドロゲルである、封入層と、
前記封入層の表面上の第１の着色剤パターンと、を備える、デバイス。
【請求項１２】
第２のインサートの後方湾曲ピースを更に備える、請求項１１に記載のデバイス。
【請求項１３】
前記第１の着色剤パターンが角膜縁輪パターンである、請求項１１に記載のデバイス。
【請求項１４】
前記第１の着色剤パターンが虹彩パターンである、請求項１１に記載のデバイス。
【請求項１５】
前記第１の着色剤パターンが、前記インサート内のコンポーネントの外観を変化させることによって前記コンポーネントの観察を妨害するカモフラージュパターンである、請求項１１に記載のデバイス。
【請求項１６】
前記第１の着色剤パターン内に、前記パターン化が可視光の前記インサートの前方湾曲表面の通過を可能にする第１の領域が存在する、請求項１１に記載のデバイス。
【請求項１７】
前記インサートの前方湾曲ピースと前記インサートの後方湾曲ピースとの間であり、かつ前記パターン化が可視光の通過を可能にする前記第１の領域の後方に、光検出器が位置付けられる、請求項１６に記載のデバイス。
【請求項１８】
前記第１の着色剤パターン内に、可視光に対して不透明な着色剤を備える第２の領域が存在する、請求項１６に記載のデバイス。
【請求項１９】
前記インサートの前方湾曲ピースと前記インサートの後方湾曲ピースとの間であり、かつ前記第１の着色剤パターン内の前記第２の領域の後方に、集積回路デバイスの少なくとも一部分が存在する、請求項１８に記載のデバイス。
【請求項２０】
液体メニスカスレンズ素子を更に備える、請求項１１に記載のデバイス。
【請求項２１】
前記インサート及びパターン上のコーティングを更に備え、前記コーティングが、前記コーティングを有しない前記インサート及びパターンよりも確実な接着特性を備える、請求項１１に記載のデバイス。
【請求項２２】
前記コーティングがパラレンを備える、請求項２１に記載のデバイス。
【発明の詳細な説明】
【技術分野】
【０００１】
本発明は、眼用レンズデバイスインサート上に印刷された着色剤パターンを有する装置及びデバイスを記載する。より具体的には、本発明は、マルチピース型インサートを有する眼用レンズデバイスの製作時に印刷されたパターンを有する眼用レンズインサートの様々な態様を記載する。
【背景技術】
【０００２】
従来、コンタクトレンズ、眼内レンズ、又は涙点プラグ等の眼用デバイスには、矯正、美容、又は治療的性質を有する生体適合性デバイスが含まれていた。例えば、コンタクトレンズは、視力矯正機能、美容効果、及び治療効果のうちの１つ以上を提供することができる。それぞれの機能は、レンズの物理的特性によってもたらされる。レンズに屈折性を組み込んだ設計によって、視力矯正機能をもたらすことができる。レンズに顔料を組み込むことによって、美容効果をもたらすことができる。レンズに活性薬剤を組み込むことによって、治療効果をもたらすことができる。そのような物理的特性は、レンズをエネルギー印加状態にすることなく達成され得る。
【０００３】
更に近年では、コンタクトレンズに能動的要素を組み込み得ることが理論化されている。いくつかのコンポーネントとしては半導体デバイスが挙げられる。動物の目に入れられるコンタクトレンズに埋め込まれた半導体デバイスを示したいくつかの例がある。しかしながら、そのようなデバイスは、永続的なエネルギー印加機構に欠く。ワイヤは、そのような半導体デバイスに電力を供給するためにレンズから電池まで回すことがあるとはいえ、このデバイスは、無線で電力を供給し得ることが理論化されているが、そのような無線電力のためのメカニズムは、利用可能となってはいない。
【０００４】
インサート及びコンポーネントを含む眼用レンズの結果として生じる製品は、装着したときにコンポーネント及びインターコネクト及び様々な他の形体を表示する視覚投影を有するデバイスをもたらし得、これは、使用者の眼の標準の見た目とは異なって見える。最終眼用製品が、使用者の眼の標準の見た目に類似した外観にする印刷された形体をその上に有することが一部の使用者にとって望ましくあり得る。したがって、インサートとともに形成される眼用及び生物医学的デバイス内の様々なコンポーネントのパターン化に関する新規の方法、デバイス、及び装置が重要とされる。
【発明の概要】
【課題を解決するための手段】
【０００５】
本発明は、例えば、眼用デバイスに組み込まれ得るインサートを含む様々なコンポーネントのパターン化に関する技術革新を含む。そのような眼用デバイスの例として、例えば、コンタクトレンズ又は涙点プラグが挙げられ得る。より一般的な観点から、多くの他の生物医学的デバイスが本発明の範囲内で関連し得る。加えて、封止又は封入されたパターン化マルチピース型インサートを有する眼用レンズを形成するための方法及び装置が提示される。いくつかの実施形態において、このインサートは、電流を引き込むことのできるコンポーネントに電力を供給することができるエネルギー印加状態にある。コンポーネントの非限定的な例として、可変光学レンズ素子、半導体デバイス、及び能動又は受動電子デバイスのうちの１つ以上が挙げられ得る。これらのコンポーネントは、様々な種類の外部信号によって起動される能力も含み得る。いくつかの実施形態は、生体適合的に眼用レンズ内に収容される剛性又は形成可能なエネルギー印加したインサートを有する鋳造成形されたシリコーンヒドロゲルコンタクトレンズも含み得、パターン化は、インサートの表面上で生じるか、又は眼用デバイス自体の表面若しくは表面の近くで生じるかのいずれかである。
【０００６】
いくつかの実施形態において、眼用レンズ用のマルチピース型インサートデバイスが開示される。いくつかの実施形態において、この方法は、第１のインサートの後方湾曲ピース、第１のインサートの後方湾曲ピースに近接した少なくとも第１のインサートの前方湾曲ピースのうちの一方又は両方と、第１のインサートの前方湾曲ピース及び第１のインサートの後方湾曲ピースのうちの一方又は両方の上の導電性材料と、第１のインサートの前方湾曲ピース及び第１のインサートの後方湾曲ピースのうちの一方又は両方に取り付けられる電子コンポーネント（取り付けは導電性材料に対して少なくとも部分的に行われる）と、第１のインサートの前方湾曲ピース及び第１のインサートの後方湾曲ピースのうちの一方又は両方の表面上の第１の着色剤パターンとを含む。
【０００７】
いくつかの実施形態において、マルチピース型インサートデバイスは、第１の後方湾曲ピースに接触した少なくとも第２のインサートの後方湾曲ピースを含む。いくつかの実施形態において、第１の着色剤パターンは、角膜縁輪パターンである。いくつかの実施形態において、第１の着色剤パターンは、虹彩パターンである。いくつかの他の実施形態では、第１の着色剤パターンは、インサート内のコンポーネントの外観を変化させることによってコンポーネントの観察を妨害するカモフラージュパターンである。
【０００８】
いくつかの他の実施形態では、第１の着色剤パターン内に、パターン化が可視光のインサート表面の通過を可能にする第１の領域が存在する。いくつかの他の実施形態では、インサートの前方湾曲ピースとインサートの後方湾曲ピースとの間であり、かつパターン化が可視光の通過を可能にする第１の領域の後方に、光検出器が位置付けられる。いくつかの他の実施形態では、第１の着色剤パターン内に、可視光に対して不透明な着色剤を備える第２の領域が存在する。
【０００９】
いくつかの実施形態において、インサートの前方湾曲ピースとインサートの後方湾曲ピースとの間であり、かつ第１の着色剤パターン内の第２の領域の後方に、集積回路デバイスの少なくとも一部分が存在する。いくつかの実施形態において、角膜縁輪パターンは、黒色の着色剤を備える。
【００１０】
いくつかの実施形態において、眼用レンズデバイスが開示される。いくつかの実施形態において、デバイスは、少なくとも第１のインサートの後方湾曲ピースと、少なくとも第１のインサートの前方湾曲ピースと、第１のインサートの前方湾曲ピース及び第１のインサートの後方湾曲ピースのうちの一方又は両方の上の導電性材料と、第１のインサートの前方湾曲ピース及び第１のインサートの後方湾曲ピースのうちの一方又は両方に取り付けられる電子コンポーネント（取り付けは導電性材料に対して少なくとも部分的に行われる）と、封入層（インサート封入層はヒドロゲルである）と、封入層の表面上の第１の着色剤パターンとを含む。
【００１１】
いくつかの実施形態において、デバイスは、少なくとも第２のインサートの後方湾曲ピースを更に含む。いくつかの他の実施形態では、第１の着色剤パターンは、角膜縁輪パターンである。いくつかの他の実施形態では、第１の着色剤パターンは、虹彩パターンである。いくつかの他の実施形態では、第１の着色剤パターンは、インサート内のコンポーネントの外観を変化させることによってコンポーネントの観察を妨害するカモフラージュパターンである。いくつかの他の実施形態では、第１の着色剤パターン内に、パターン化が可視光のインサートの前方湾曲表面の通過を可能にする第１の領域が存在する。
【００１２】
いくつかの実施形態において、光検出器は、インサートの前方湾曲ピースとインサートの後方湾曲ピースとの間であり、かつパターン化が可視光の通過を可能にする第１の領域の後方に位置付けられる。いくつかの他の実施形態では、第１の着色剤パターン内に、可視光に対して不透明な着色剤を含む第２の領域が存在する。いくつかの他の実施形態では、インサートの前方湾曲ピースとインサートの後方湾曲ピースとの間であり、かつ第１の着色剤パターン内の第２の領域の後方に、集積回路デバイスの少なくとも一部分が存在する。いくつかの実施形態において、デバイスは、液体メニスカスレンズ素子を更に含む。いくつかの実施形態において、デバイスは、インサート及びパターン上のコーティングを更に含み、このコーティングは、このコーティングを有しないインサート及びパターンよりも確実な接着特性を備える。いくつかの実施形態において、コーティングはパラレンを備える。
【図面の簡単な説明】
【００１３】
【図１】本発明のいくつかの実施形態に従う、鋳型組立品装置を示す図。
【図２】封止されたインサート実施形態を有するエネルギー印加された眼用レンズを示す図。
【図３】封止された環状形状のインサート実施形態を有するエネルギー印加された眼用レンズを示す図。
【図４】正面斜視からのパターン化されていない眼用レンズインサートの外観を示す図。
【図５】正面斜視及び断面斜視の両方からのパターン化された眼用レンズの外観を示す図であり、パターン化は、角膜縁輪パターンに類似している。
【図６】正面斜視及び断面斜視の両方からのパターン化された眼用レンズの外観を示す図であり、パターン化は、虹彩パターンに類似している。
【発明を実施するための形態】
【００１４】
本発明は、マルチピース型インサートを有する眼用レンズを製造するための方法及び装置を含み、インサート又はインサートから形成された眼用レンズの一部分は、パターン化態様を含み得る。更に、本発明は、パターン化態様を含む眼用レンズに組み込まれたマルチピース型インサートを有する眼用レンズを含む。
【００１５】
本発明に従って、眼用レンズデバイスは、場合によってエネルギーの蓄積手段として電気化学セル又は電池等のエネルギー源を含む埋め込みインサートとともに形成される。いくつかの実施形態において、形成された眼用レンズは、完全に形成された眼用レンズデバイス上、部分的に形成された眼用デバイス上、又はその後に眼用レンズデバイスに形成されるインサートの表面部分上でのパターンの印刷を含むが、これらに限定されない多くの方法でパターン化され得る。
【００１６】
いくつかの実施形態では、マルチピース型インサートはまた、回路のパターン、コンポーネント、及びエネルギー源を含む。様々な実施形態は、レンズの着用者がそこを通して見るであろう光学ゾーンの周囲に回路のパターン、コンポーネント、及びエネルギー源を位置付けるマルチピース型インサートを含み得る。いくつかの実施形態において、マルチピース型インサートは、コンタクトレンズ着用者の視界に悪影響を及ぼさないほどの小ささであり得る回路のパターン、コンポーネント、及びエネルギー源を含み得る。いくつかの実施形態において、コンポーネント及びエネルギー源は、光学ゾーン内又は光学ゾーンの外部に位置付けられる。いくつかの実施形態において、インサート内にあるか、インサートに取り付けられるか、又はインサートの上にあるこれらの様々なコンポーネントによって形成されたパターン化されたものは、コンポーネントによって形成されたパターンを隠すか、又は妨害するような方法で配置されるべきパターンの必要性をもたらし得る。
【００１７】
本発明のいくつかの実施形態において、マルチピース型インサートは、レンズを作るために使用される鋳型部品に対して所望の位置にエネルギー源を配置するオートメーションを介して眼用レンズ内に統合される。様々なコンポーネントを眼用レンズ内に配置する実施形態は、コンポーネントを所定の位置に封止及び接着するか、又はコンポーネントを封入する１つ以上の工程を用い得る。
【００１８】
いくつかの実施形態では、エネルギー源は、コマンドにより起動することができ、眼用レンズ内に含まれるエネルギー源から電流を引くことができるコンポーネントと電気的に導通するように配置される。いくつかの実施形態において、コンポーネントには、半導体デバイス、能動若しくは受動電気デバイス、又は電気的に起動する機械が挙げられ得るが、これらに限定されない。いくつかの実施形態において、電気的に起動する機械には、微小電気機械システム（ＭＥＭＳ）、ナノ電気機械システム（ＮＥＭＳ）、又はマイクロマシンが挙げられ得るが、これらに限定されない。いくつかの実施形態において、エネルギー源及びコンポーネントの配置後、反応混合物は、鋳型部品によって成形され、重合して眼用レンズを形成し得る。
【００１９】
以下の項において、本発明の実施形態の詳細な説明を与える。好ましい実施形態及び代替の実施形態の両方の説明は、代表的な実施形態に過ぎず、変形、修正、及び代替が当業者にとって明白であり得ることが理解される。したがって、これらの代表的な実施形態は基礎をなす発明の範囲を制限しない点は理解されなければならない。
【００２０】
用語集
本発明を対象としたこの説明及び特許請求の範囲においては、以下の定義が適用される様々な用語が用いられ得る。
後方湾曲ピース：本明細書で使用するとき（かつ場合によってインサートの後方湾曲として使用される場合）、前述のインサートに組み立てられるときに、後方にあるレンズの側面上の位置を占領するマルチピース型インサートの固体要素を指す。眼用デバイスにおいて、そのようなピースは、インサートの、使用者の眼の表面により近い側面上に位置付けられる。いくつかの実施形態において、後方湾曲ピースは、眼用デバイスの中央に領域を収容し、かつこれを含み得、この領域を通って光が使用者の眼又は光学ゾーンに進入し得る。いくつかの実施形態において、ピースは、光学ゾーンにおいて領域の一部又は全てを収容しないか、又は含まない環状形状をとり得る。いくつかの実施形態において、インサートの複数の後方湾曲ピースが存在し得、インサートのうちの１つが光学ゾーンを含み得る一方で、その他は環状又は環の部分であり得る。
【００２１】
コンポーネント：本明細書で使用するとき、論理的状態、又は物理的状態の１つ以上の変化を生じるためにエネルギー源から電流を引くことができるデバイスを指す。
【００２２】
封入する：本明細書で使用するとき、例えばメディアインサート等の実体をその実体に隣接した環境から隔てる障壁を作り出すことを指す。
【００２３】
封入材：本明細書で使用するとき、例えばメディアインサート等の実体をその実体に隣接した環境から隔てる障壁を作り出す、実体周囲に形成した層を指す。例えば、封入材は、Ｅｔａｆｉｌｃｏｎ、Ｇａｌｙｆｉｌｃｏｎ、Ｎａｒａｆｉｌｃｏｎ、及びＳｅｎｏｆｉｌｃｏｎ等のシリコーンヒドロゲル、又は他のヒドロゲルコンタクトレンズ材料から構成され得る。いくつかの実施形態において、封入材は、実体内に特定の物質を収容し、かつ例えば水等の特定の物質が実体内に入るのを防ぐように半透性であり得る。
【００２４】
エネルギー印加された：本明細書で使用するとき、電流を供給するか、又は内部に蓄積される電気エネルギーを有することができる状態を指す。
【００２５】
エネルギー：本明細書で使用するとき、ある物理系が仕事をする能力のことを指す。本発明で使用される場合の多くは、仕事をする際に電気的作用を行うことが可能なこの能力に関連し得る。
【００２６】
エネルギー源：本明細書で使用するとき、エネルギーを供給するか、又は生物医学的装置をエネルギー印加された状態とすることが可能なデバイスのことを指す。
【００２７】
エネルギーハーベスター：本明細書で使用するとき、環境からエネルギーを抽出し、これを電気エネルギーに変換することができるデバイスを指す。
【００２８】
前方湾曲ピース：本明細書で使用するとき（かつ場合によってインサートの前方湾曲として使用される場合）、前述のインサートに組み立てられるときに、前方にあるレンズの側面上の位置を占領するマルチピース型インサートの固体要素を指す。眼用デバイスにおいて、そのようなピースは、インサートの、使用者の眼の表面からより遠い側面上に位置付けられる。いくつかの実施形態において、ピースは、眼用デバイスの中央に領域を収容し、かつこれを含み得、この領域を通って光が使用者の眼又は光学ゾーンに進入し得る。他の実施形態では、ピースは、光学ゾーンにおいて領域の一部又は全てを収容しないか、又は含まない環状形状であり得る。いくつかの実施形態において、眼用インサートは、複数の前方湾曲ピースを含み得、ピースのうちの１つが光学ゾーンを含み得る一方で、その他は環状又は環の部分であり得る。
【００２９】
眼用レンズ：本明細書で使用するとき、眼の中又は眼の上に存在する任意の眼用デバイスを指す。これらのデバイスは、光学的補正をもたらすものであってもよく、あるいは美容的なものであってもよい。例えば、レンズという用語は、コンタクトレンズ、眼内レンズ、オーバーレイレンズ、眼球インサート、光学インサート、又はそれによって視力が矯正若しくは改変されるか又はそれによって眼の生理学的特性が視力を妨げることなく美容的に強調される（例えば虹彩の色）ような他の同様のデバイスのことを指し得る。いくつかの実施形態において、本発明の好ましいレンズは、シリコーンエラストマー又はヒドロゲルで作製されたソフトコンタクトレンズである。
【００３０】
レンズ形成混合物又は「反応混合物」又は「ＲＭＭ」（反応性モノマー混合物）：本明細書で使用するとき、硬化することができるか、架橋することができるか、又は架橋して眼用レンズを形成することができるモノマー又はプレポリマー材料を指す。様々な実施形態は、紫外線遮断剤、染料、光開始剤、若しくは触媒等であるが、これらに限定されない１つ以上の添加剤、及び眼用レンズ、コンタクトレンズ、又は眼内レンズに他の好適なものを有するレンズ形成混合物を含み得る。
【００３１】
レンズ形成表面：レンズの成形に用いられる表面を指す。いくつかの実施形態では、任意のこのような表面は、光学品質表面仕上げを有することができ、光学品質表面仕上げとは、表面が十分に滑らかで、成形表面に接触しているレンズ形成材料の重合によって作られるレンズ表面が光学的に許容可能であるように形成されていることを示す。更に、いくつかの実施形態において、レンズ形成表面は、制限なく、球面パワー、非球面パワー、及び円筒パワー、波面収差補正、角膜トポグラフィ補正等、並びにこれらの任意の組み合わせを含む所望の光学特性をレンズ表面に付与するのに必要な形状を有し得る。
【００３２】
リチウムイオンセル：本明細書で使用するとき、リチウムイオンセルは、セル内を移動するリチウムイオンが電気的エネルギーを生成する、電気化学セルを指す。典型的に電池と呼ばれるこの電気化学セルは、その典型的な形態でエネルギーが再印加され得るか、又は再充電され得る。
【００３３】
マルチピース型インサート：本明細書で使用するとき、眼用レンズ内部のエネルギー源を支持することができる、形成可能又は剛性の基板を指す。いくつかの実施形態では、マルチピース型インサートはまた、１つ以上のコンポーネントを支持する。
【００３４】
鋳型：本明細書で使用するとき、硬化されていない配合物からレンズを形成するために使用され得る剛性又は半剛性の物体を指す。いくつかの好ましい鋳型は、前方湾曲鋳型部品及び後方湾曲鋳型部品を形成する２つの鋳型部品を含む。
【００３５】
光学ゾーン：本明細書で使用するとき、眼用レンズの装用者がそこを通して見る眼用レンズの領域を指す。
【００３６】
電力：本明細書で使用するとき、単位時間当たりに行われる仕事又は移動するエネルギーのことを指す。
【００３７】
再充電可能又はエネルギー再印加可能：本明細書で使用するとき、仕事をするためのより高い能力の状態へと復元可能な能力を指す。本発明内での多くの使用は、再決定された特定の期間、特定の速度で電流を流すことができる能力を有する復元可能な能力に関連し得る。
【００３８】
エネルギー再印加又は再充電：本明細書で使用するとき、作業を行うためにより高い能力を有する状態まで復元することを指す。本発明内での多くの使用は、再決定された特定の期間、特定の速度で電流を流すことができるようにデバイスを復元することに関連し得る。
【００３９】
鋳型から取り外された：本明細書で使用するとき、レンズが鋳型から完全に引き離されるか、又はそれを穏やかな振動で若しくは綿棒で押して取り外すことができるように軽く取り付けられているかのいずれかであることを意味する。
【００４０】
積層型統合コンポーネントデバイス：本明細書で使用され、かつ場合によって「ＳＩＣデバイス」と称されるとき、基板の薄層を組み立てることができる包装技術を有する製品を指し、各層の少なくとも一部分を相互の上に積み重ねることによって電気及び電気機械デバイスを動作可能な統合デバイスに収容し得る。いくつかの実施形態において、これらの層は、様々な種類、材料、形状、及び大きさのコンポーネントデバイスを備え得る。更に、層は、その層に所望され得る様々な輪郭に適合させてその輪郭をとらせる様々なデバイス生産技術により作製されてもよい。
【００４１】
図１に進むと、封止及び封入されたインサートを収容するパターン化された眼用デバイスを形成するための装置１００が示される。装置１００は、例示の前方湾曲鋳型１０２及び対応する後方湾曲鋳型１０１を含む。いくつかの実施形態において、インサート１０４及び眼用レンズデバイスの本体１０３は、これらの２つの鋳型１０１及び１０２の内部に見られ得る。いくつかの実施形態において、眼用レンズデバイスの本体１０３は、ヒドロゲル材料であり得、インサート１０４は、全ての表面上がこの材料で包囲され得る。
【００４２】
インサート１０４は、多くの様々な種類のインサートのうちの１つであってもよい。図１の描写において、インサート１０４内に少なくとも１つのパターン化された表面１０５が存在し得る。パターン化された表面１０５を形成するインサート１０４又は眼用レンズデバイスの本体１０３のいずれかをパターン化する多くの異なる方法が存在し得る。いくつかの実施形態において、装置１００は、多くの封止された領域を有するコンポーネントの組み合わせで構成される新規の眼用デバイスを作製し得る。
【００４３】
再度図１を参照して、眼用レンズ用の例示の鋳型デバイス１００の略図は、マルチピース型インサート１０４とともに図示される。本明細書で使用するとき、鋳型デバイス１００は、レンズ形成混合物の反応又は硬化時に所望の形状の眼用レンズが作り出されるように、レンズ形成混合物をその中に分配することができる空洞１０６を成形するために形成されたプラスチックを含む。いくつかの実施形態において、鋳型及び鋳型デバイス１００は、２つ以上の「鋳型部品」又は「鋳型ピース」１０１〜１０２で構成される。鋳型部品１０１〜１０２は、空洞１０５が鋳型部品１０１と１０２との間に形成されるように接合され得、その中で、レンズが形成され得る。このような鋳型部品１０１〜１０２の組み合わせは、一時的であることが好ましい。眼用レンズデバイスの形成時に、鋳型部品１０１〜１０２は、レンズを取り外すために再度引き離され得る。
【００４４】
いくつかの実施形態において、少なくとも１つの鋳型部品１０１〜１０２は、レンズ形成混合物に接触するその表面部分を有し、したがって、レンズ形成混合物の反応又は硬化時に、その表面は、それが接触するレンズ部分に所望の形状及び形態を提供する。他の鋳型部品１０１〜１０２の場合も同様である。
【００４５】
いくつかの実施形態において、鋳型デバイス１００は、２つの部品１０１〜１０２、すなわち雌型凹状ピース（前方ピース）１０２及び雄型凸状ピース（後方ピース）１０１から形成され、それらの間に空洞１０６がある。レンズ形成混合物と接触する凹状表面の部分は、鋳型デバイス１００に作り出される眼用レンズの前方湾曲の湾曲を有し、十分に滑らかであり、凹状表面に接触するレンズ形成混合物の重合によって形成された眼用レンズの表面が光学的に許容されるように形成される。
【００４６】
いくつかの実施形態において、前方鋳型ピース１０２はまた、眼用レンズデバイスの円周縁と一体になり、かつそれを包囲する環状フランジを有し得る。いくつかの実施形態において、レンズ形成表面は、光学的品質の表面仕上げを有する表面を含み得、これは、十分に滑らかであり、かつ成形表面に接触するレンズ形成材料の重合によって作られるレンズ表面が光学的に許容されるように形成されることを示す。更に、いくつかの実施形態において、鋳型ピース１０１〜１０２のレンズ形成表面は、レンズ表面に所望の光学特性を付与するのに必要な形状を有し得、制限なく、球面パワー、非球面パワー、及び円筒パワー、波面収差補正、角膜トポグラフィ補正等、並びにこれらの任意の組み合わせを含む。
【００４７】
いくつかの実施形態において、マルチピース型インサート１０４は、エネルギー源及びコンポーネントがその上に搭載されるよう説明されている。マルチピース型インサート１０４は、エネルギー源がその上に配置される任意の受容材料であり得、いくつかの実施形態において、回路経路、コンポーネント、及び、エネルギー源がコンポーネントと電気的に導通するように配置され、かつコンポーネントがエネルギー源から電流を引き込むことを可能にするのに有用な他の態様も含み得る。いくつかの実施形態において、封止部及び封入部１０５は、機能的なインサートが複数のピースで製造され、その後、確実に組み立てられて、眼用デバイスに最終的に包含されるように封止されることを可能にし、眼用デバイス周囲の材料及びインサートデバイス内の材料は、インサート材料又は封止部１０５を通って拡散することができない。
【００４８】
様々な実施形態はまた、マルチピース型インサート１０４を、レンズを形成するために使用される鋳型部品に配置する前にエネルギー源をマルチピース型インサート１０４に配置することを含む。マルチピース型インサート１０４はまた、エネルギー源により電荷を受け取る、１つ以上のコンポーネントを含み得る。
【００４９】
いくつかの実施形態において、マルチピース型インサート１０４を有するレンズは、中央剛性で軟性スカートの設計を含み得、ここで、中央剛性の光学素子は、大気並びにそれぞれの前面及び後面上の角膜表面に直接接触する。更に、レンズ材料の軟性のスカート（典型的には、ヒドロゲル材料で作られる）は、剛性光学素子の周囲に取り付けられる。いくつかの実施形態において、剛性光学素子は、結果として生じる眼用レンズにエネルギー及び機能性を提供するマルチピース型インサートの役割も果たす。
【００５０】
いくつかの更なる実施形態は、ヒドロゲルマトリックス内に完全に封入された剛性レンズインサートであるマルチピース型インサート１０４を含む。剛性レンズインサートであるマルチピース型インサート１０４は、例えば、マイクロインジェクション成形技術を用いて製造され得る。実施形態は、例えば、約６ｍｍ〜１０ｍｍの直径、約６ｍｍ〜１０ｍｍの前面半径、約６ｍｍ〜１０ｍｍの裏面半径、及び約０．０５０ｍｍ〜０．５ｍｍの中央厚さを有するポリ（４−メチルペント−１−エン共重合体樹脂を含み得る。いくつかの例示の実施形態は、約８．９ｍｍの直径、約７．９ｍｍの前面半径、約７．８ｍｍの裏面半径、約０．１００ｍｍの中央厚さ、及び半径約０．０５０の縁輪郭を有するインサートを含む。１つの例示のマイクロ成形機として、Ｂａｔｔｅｎｆｉｅｌｄ  Ｉｎｃ．から提供されるＭｉｃｒｏｓｙｓｔｅｍ  ５０の５トンシステムが挙げられ得る。溝、スロット、へり、ナイフエッジ等を含む封止形体のうちのいくつか又は全ては、成形プロセス中に形成され得るか、又は成形プロセスのその後の処理によって後に形成され得る。
【００５１】
いくつかの実施形態において、マルチピース型インサートは、眼用レンズデバイスを形成するために利用される鋳型部品１０１〜１０２に配置され得る。いくつかの実施形態において、鋳型部品１０１〜１０２材料は、例えば、ポリプロピレン、ポリスチレン、ポリエチレン、ポリメチルメタクリレート、及び変性ポリオレフィンのうちの１つ以上のポリオレフィンを含み得る。その他の鋳型は、セラミック又は金属材料を含むことも可能である。
【００５２】
いくつかの実施形態において、眼用レンズ鋳型を形成するために１つ以上の添加剤と合わせられ得る他の鋳型材料には、例えば、Ｚｉｅｇｌａｒ−Ｎａｔｔａポリプロピレン樹脂（ｚｎＰＰと称されることもある）、ＦＤＡ規則２１  ＣＦＲ（ｃ）３．２による清潔な成形のための清澄ランダム共重合体、エチレン基を有するランダム共重合体（ｚｎＰＰ）が含まれる。
【００５３】
いくつかの実施形態において、鋳型部品１０１〜１０２は、ポリプロピレン、ポリエチレン、ポリスチレン、ポリメチルメタクリレート、主鎖に脂環式部分を含む変性ポリオレフィン、及び環状ポリオレフィン等のポリマーを含有し得る。このブレンドは、鋳型部品１０１〜１０２のうちのいずれか又はこれら両方に使用され得る。いくつかの実施形態において、このブレンドは、後方鋳型部品１０１及び前方鋳型部品１０２上で使用され、脂環式共重合体を含む。
【００５４】
いくつかの実施形態において、射出成形は既知の技術に従って利用されるが、実施形態はまた、例えば、旋盤加工、ダイヤモンド切削、又はレーザー切断を含む他の技術によって作られる鋳型を含み得る。
【００５５】
いくつかの他の実施形態では、眼用レンズデバイスは、鋳型部品１０１〜１０２の両方の少なくとも１つの表面上に形成される。しかしながら、いくつかの実施形態において、レンズの１つの表面は、鋳型部品１０１〜１０２から形成され得、レンズの別の表面は、旋盤加工法、又は任意の他の方法を用いて形成され得る。
【００５６】
図２に進むと、埋め込みインサートを有するパターン化されていない眼用レンズデバイス２００の一例が断面図で示される。いくつかの実施形態において、周囲の眼用デバイスシェル２１０は、図１の成形形体によって形成され、かつヒドロゲル化合物を含む多くの材料で作られ得る。
【００５７】
更に、眼用レンズデバイス２００は、インサート２２０を含み得る。いくつかの実施形態において、インサート２２０は、複数のピースで作られ、かつインサート２２０を完成するために利用される様々な種類の封止部を有し得る。
【００５８】
いくつかの実施形態において、眼用レンズデバイス２００はまた、起動要素、処理要素、エネルギー印加要素、及び検知要素を含み得るが、これらに限定されないコンポーネントデバイス層２３０を含み得る。いくつかの実施形態において、そのような層の包含に関連する多くの封入スキームが存在し得る。更に、いくつかの実施形態において、層２１０は、図１に示されるように、結果として生じるインサートが眼用デバイス内に固定される前に能動光学デバイス等の他のコンポーネント２４０に接着され得る。
【００５９】
再度図２を参照して、形成された眼用デバイスのパターン化されていないバージョン及び様々なコンポーネントの組み込みが図示されている。
【００６０】
図３に進むと、例示の眼用デバイスの縁の拡大断面図３００が示される。いくつかの実施形態において、断面図３００の上面図３９０が図示される。いくつかの実施形態において、眼用デバイスは、光学ゾーン３１０にインサート又は様々な種類の他の能動コンポーネントが存在し得るため、満たされた状態と見なされ得る。例えば、メニスカス型のレンズにおいて、領域光学ゾーン３１０は、メニスカス型の能動レンズの基盤を形成する２つの不混和性流体によって包囲され得る。いくつかの実施形態において、光学ゾーン３１０は、インサートの前面を表し得、その上に様々な導電性電極金属層が沈着した、成形された別個のピースであり得る。いくつかの実施形態において、様々な電気コンポーネント３３０及びエネルギー印加要素３２０を有する電気トレースが存在する。
【００６１】
いくつかの実施形態において、成形された前方ピース３１０は、その上に成形された凹部３７１を有し得、これはその後、示されるように、成形されたが別個の後方ピース３６０と交差する。いくつかの実施形態において、凹部３７１は、接着剤溝と称され得る。いくつかの他の実施形態では、前方ピースと後方ピースが相互に近接した状態にされるときに（流体が２つのピースで形成される空洞内に充填される前か又は充填された後かにかかわらず）、後方ピースは前進して、溝３７１にしっかりと位置合わせされ得る。その後、接着剤又は封止剤は、溝３７１の残りの空間に沈着し得る。いくつかの実施形態において、溝３７１は、眼用レンズデバイス自体の全周囲に位置付けられ得る。いくつかの実施形態において、表面３７０は、パターンが配置されてインサート自体のパターン化によって形成されたパターン化されたインサートを作製し得る例示の位置を示し得る。いくつかの他の実施形態では、他の表面は、パターン化及び形成され得る。更に、いくつかの実施形態において、封入材３３１は、パターン化され得る表面を画定し得る。多くの実施形態において、それでもなお、前向きの表面３７０は、依然として、後方湾曲表面３６０又は後方湾曲側面上に位置付けられる表面上での任意のパターン化と同様にパターン化され得る。
【００６２】
いくつかの他の実施形態では、インサートは、上述されるように満たされたデバイスではないが、むしろ、中央部分の少なくとも一部分が材料を欠き得る環状デバイスである。図４に進むと、そのような環状インサート型４００の図を見ることができる。環状インサート４００は、前向きの表面４７０を有し得る前方湾曲ピース４１０を有し得る。いくつかの実施形態において、内部の縁４１５は、環状インサート４００の内部の形体を画定する。
【００６３】
いくつかの実施形態において、環状インサート４００の断面図４９０が開示される。断面図４９０において、表面４７０を有する前方湾曲ピースは、環状インサートの両端上にある成形された縁４７１及び４７２から延在し得る。いくつかの実施形態において、前方湾曲ピースと後方湾曲ピースとの間の領域を被覆及び封入する後方湾曲ピース４６０が存在し得る。後方湾曲ピース４６０は、成形された形体の４６１から４６２に及ぶ範囲を有し得る。いくつかの他の実施形態では、後方硬化ピース４６０は、その上にパターン化形体が形成され得る更なる表面を提供し得る。
【００６４】
いくつかの実施形態において、環状インサート４００は、多くのコンポーネントを収容し得る。非限定的な例示の意味において、インサート４００は、電子デバイス４３０を収容し得る。いくつかの実施形態において、電子デバイス４３０は、半田ボール４４０及び検知要素４２０等の接続形体によって電気的に接続され得る。いくつかの実施形態において、電気トレースは、ピース４７０及び４６０、並びにエネルギー印加要素によって画定される空洞内に存在し得る。品目３００の満たされた状態のデバイスと同様に、これらの多くのコンポーネント及びデバイスの存在は、様々な表面のうちの少なくともいくつかにおいてパターン化が行われない場合、環状デバイスに図２に示される外観に類似した外観を与え得る。
【００６５】
いくつかの実施形態において、マルチピース型インサート４００は、マルチピース型インサート４００上に位置付けられるエネルギー源４３０によって電力供給される可変光学素子４１２を含む光学ゾーン４１５を有し得る。マルチピース型インサート４００はまた、光学ゾーン４１５に含まれた可変光学素子４１２を制御するために回路４２５を含み得る。いくつかの実施形態において、可変光学素子４１２は、コンポーネントと見なされ得る。
【００６６】
いくつかの実施形態において、エネルギー源４３０は、コンポーネント４３５と電気的に導通し得る。コンポーネント４３５は、状態を変化させる電荷に応答する任意のデバイス、例えば、半導体型チップ、受動電気デバイス、又は水晶体等の光学デバイス等を含み得る。
【００６７】
いくつかの特定の実施形態では、エネルギー源は例えば、電池、又は他の電気化学セル、コンデンサ、ウルトラコンデンサ、スーパーコンデンサ、又は他の蓄積コンポーネントを含む。いくつかの特定の実施形態は、光学ゾーン４１５の外側の眼用レンズの周囲上のマルチピース型インサート４００上に位置付けられる電池を含み得る。
【００６８】
図５に進むと、例示のパターン化された眼用レンズデバイス５００の外観を見ることができる。眼用レンズデバイス５００に示される種類のパターンは、角膜縁輪パターンと見なされ得る。いくつかの実施形態において、ヒドロゲル５１０は、インサート５１２の封入層に相当し得る。いくつかの実施形態において、印刷されたパターンは、密度の高い辺縁リング５２０から反対側５３０までインサート５１２を完全に被覆し得る。いくつかの実施形態において、眼用レンズデバイス５００の内部領域５４０は、能動光学デバイスを光学ゾーン内に位置付け得る。いくつかの他の実施形態では、内部領域５４０は、インサート５１２が環状形状である場合、ヒドロゲル材料のみで作られ得る。
【００６９】
再度図５を参照して、下方の断面図において、パターンの本質及び真下の材料を被覆するその能力が図示され得る。この場合もやはり、パターンは、角膜縁輪パターンに相当し、領域５２０から領域５３０まで印刷される。集積回路５９０及び電気インターコネクト５７０を含むが、これらに限定されない多くのコンポーネント及び形体は、パターンの下に位置付けられ得る。
【００７０】
いくつかの実施形態において、パターンは、例えば、前方湾曲ピース、インサートデバイスのピース又はインサートデバイスの後方湾曲ピースの表面等の、インサートデバイスに含まれる１つ以上の品目の表面に取り付けられ得る。他の実施形態では、パターンは、眼用レンズデバイスの本体上に配置され得る。他の実施形態では、パターンは、射出プロセスによって、又は代替的に眼用レンズデバイスの本体を形成する多層化プロセスによって眼用レンズデバイスの表面の真下に配置され得る。
【００７１】
いくつかの実施形態において、コーティングは、パターン及びインサートに塗布されて、パターンを有するインサートデバイスと眼用レンズのヒドロゲル部分との間の確実な接着特性を促進し得る。いくつかの実施形態において、コーティングは、例えば、パラレンを含み得る。
【００７２】
図６に進むと、異なる種類のパターン化された眼用レンズデバイス６００が示される。いくつかの実施形態において、印刷されるパターンは、虹彩型パターンに相当し得る。いくつかの実施形態において、パターンの色は、天然色素沈着型の色から他の色に及ぶ多種多様の選択を想定し得る。パターン化されたレンズは、中央光学ゾーン６４０等の同様の画定された領域、又は内側のリング６３０から外側のリング６２０までのパターン化された領域を有し得る。いくつかの実施形態において、インサートは、ヒドロゲル等の眼用レンズ材料によって封入され得る。いくつかの他の実施形態では、インサートを包囲し、かつ眼用レンズデバイス６００の外部形状を画定するスカート６１０が存在する。
【００７３】
再度図６を参照して、断面図において、品目６２０と品目６３０との間のパターン化された領域が示される。図５において論じられるように、パターン化された領域は、下層のコンポーネントを被覆するか、又は覆い隠し得る。いくつかの実施形態において、パターン化された領域は、集積回路６９０及び電気インターコネクト６７０等の形体を更に含み得る。いくつかの他の実施形態では、多くの他の形体及びコンポーネントは、眼用レンズデバイス６００内のパターン化された領域下に位置付けられ得る。
【００７４】
いくつかの実施形態において、透明なパターン化又は非パターン化６２５の領域は、パターン設計内に位置付けられる。非限定的な例として、集積回路６９０が示される。例示の実施形態において、集積回路６９０は、それが集積回路の環境下で周辺光の変化を検出することを可能にするために機能的要素を含み得、その変化は、使用者がまばたきをするときに生じ得る。そのようなまばたきの検出、例えば、所望のものを制御するか、又はそれに信号を送って眼用レンズの状態を変化させるまばたきの使用が有用であり得る多くの理由が存在し得る。そのような実施形態において、レンズ上の任意のパターンにとって、光がパターン化された領域を通って下層の検出器６９０に入ることを可能にするウィンドウ６２５を有することが望ましくあり得る。ウィンドウ６２５は、検出器が検出し得る特定の波長の光に透明であるパターン形成材料を欠くことによって、又は代替の材料によって作製され得る。いくつかの実施形態において、検出用の領域以外の集積回路６９０上での光の存在は、眼用レンズデバイス６００の性能に悪影響を与え得る。したがって、レンズをパターン化する審美的目的に加えて、エネルギー印加要素の寿命を延ばす回路素子からの光の排除等の機能的動機もまた関連し得る。
【００７５】
いくつかの他の実施形態では、コンポーネント及び形体を視覚認識から隠す様々な種類のパターン化が開示される。いくつかの実施形態において、ありとあらゆる可能性のあるパターン設計は、設計された本発明の技術と一致する。非限定的な例として、下層の形体の外観を隠す代わりに、印刷されたパターンがそれらの認識度を低下させるカモフラージュの原理に基づく設計アプローチが用いられ得る。インサートを有する眼用デバイスをパターン化するときに用いられ得る多くのパターンが存在し得る。
【００７６】
いくつかの実施形態において、眼用レンズは、シリコーン含有成分を含むレンズを含み得る。「シリコーン含有成分」とは、モノマー、マクロマー、又はプレポリマー中に少なくとも１つの［−Ｓｉ−Ｏ−］単位を含有する成分である。好ましくは、合計Ｓｉ及び結合Ｏは、シリコーン含有成分中に、当該シリコーン含有成分の総分子量の約２０重量％より大きい、更に好ましくは３０重量％より大きい量で存在する。有用なシリコーン含有成分は、好ましくは、アクリレート、メタクリレート、アクリルアミド、メタクリルアミド、ビニル、Ｎ−ビニルラクタム、Ｎ−ビニルアミド、及びスチリル官能基等であるが、これらに限定されない重合性官能基を含む。
【００７７】
いくつかの実施形態において、眼用レンズスカート又はインサートを包囲するインサート封入層は、標準のヒドロゲルレンズ配合物から構成され得る。多くのインサート材料と許容可能な調和を呈し得る特性を有する例示の材料には、Ｎａｒａｆｉｌｃｏｎ  Ａ及びＮａｒａｆｉｌｃｏｎ  Ｂを含むＮａｒａｆｉｌｃｏｎ族が含まれ得る。あるいは、多くのインサート材料と許容可能な調和を呈し得る特性を有する例示の材料には、良好な例示の材料の選定を表し得るＥｔａｆｉｌｃｏｎ  Ａを含むＥｔａｆｉｌｃｏｎ族が含まれ得る。いくつかの実施形態において、封止及び封入されたインサートの許容できるエンクロージャ又は部分的なエンクロージャを形成し得る任意の材料が含まれ得る。
【００７８】
いくつかの実施形態において、好適なシリコーン含有成分は、式Ｉの化合物を含み、
【化１】
2014182387.tif 000003
式中、
Ｒ１は、独立して、一価反応性基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能基を更に含み得、１〜１００  Ｓｉ−Ｏの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能基を更に含むこともあり、
式中、ｂ＝０〜５００であり、ｂが０以外のときに、ｂは、表示値と同等のモードを有する分配であると理解され、
少なくとも１つのＲ１が一価反応性基を含み、いくつかの実施形態において、１〜３つのＲ１が一価反応性基を含む。
【００７９】
本明細書に使用されるとき、「一価反応性基」は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定的な例には、ビニルエーテル、エポキシド基、及びこれらの混合物が挙げられる。いくつかの実施形態において、フリーラジカル反応性基には、（メタ）アクリレート、アクリルオキシ、（メタ）アクリルアミド、及びこれらの混合物が含まれる。
【００８０】
いくつかの実施形態において、好適な一価アルキル及びアリール基には、非置換一価Ｃ１〜Ｃ１６アルキル基、Ｃ６〜Ｃ１４アリール基、例えば、置換及び非置換メチル、エチル、プロピル、ブチル、２−ヒドロキシプロピル、プロポキシプロピル、ポリエチレンオキシプロピル、これらの組み合わせ等が含まれる。
いくつかの実施形態において、ｂはゼロであり、１つのＲ１は一価反応基であり、少なくとも３つのＲ１は、１〜１６個の炭素原子を有する一価アルキル基から選択される。いくつかの他の実施形態では、Ｒ１は、１〜６個の炭素原子を有する一価アルキル基から選択される。この実施形態のシリコーン成分の非限定的な例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリス（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００８１】
いくつかの他の実施形態では、ｂは、２〜２０、３〜１５、又はいくつかの実施形態において３〜１０であり、少なくとも１つの末端Ｒ１は、一価反応基を含み、残りのＲ１は、１〜１６個の炭素原子を有する一価アルキル基から選択される。いくつかの他の実施形態では、Ｒ１は、１〜６個の炭素原子を有する一価アルキル基から選択される。更に他の実施形態では、ｂは、３〜１５であり、一方の末端Ｒ１は、一価反応基を含み、他方の末端Ｒ１は、１〜６個の炭素原子を有する一価アルキル基を含み、残りのＲ１は、１〜３個の炭素原子を有する一価アルキル基を含む。この実施形態のシリコーン成分の非限定的な例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ」）、モノメタクリルオキシプロピル末端のモノ−ｎ−ブチル末端のポリジメチルシロキサン（８００〜１０００ＭＷ）、（「ｍＰＤＭＳ」）が含まれる。
【００８２】
他の実施形態では、ｂは、５〜４００又は１０〜３００であり、両末端Ｒ１は、一価反応基を含み、残りのＲ１は独立して、炭素原子間にエーテル結合を有し得、かつハロゲンを更に含み得る１〜１８個の炭素原子を有する一価アルキル基から選択される。
【００８３】
シリコーンヒドロゲルレンズが所望される他の実施形態では、本発明のレンズは、ポリマーが作製される反応性モノマー成分の全重量に基づいて、少なくとも約２０重量％、好ましくは約２０〜７０重量％のシリコーン含有成分を含む反応混合物で作製される。
【００８４】
他の実施形態では、１〜４つのＲ１は、以下の式のビニルカーボネート又はカルバメートを含み、
【化２】
2014182387.tif 000004
式中、ＹはＯ−、Ｓ−又はＮＨ−を意味し、
Ｒは、水素又はメチルを意味し、ｄは１、２、３又は４であり、かつｑは０又は１である。
【００８５】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネートを含み、
【化３】
2014182387.tif 000005
約２００未満の弾性率を有する生物医学的デバイスが所望される場合、１つのＲ１のみが一価の反応性基を含むものとし、残りのＲ１基のうちの２つ以下は、一価シロキサン基を含む。
【００８６】
別のクラスのシリコーン含有成分としては、次の式のポリウレタンマクロマーが挙げられる。
式ＩＶ〜ＶＩ
（＊Ｄ＊Ａ＊Ｄ＊Ｇ）ａ ＊Ｄ＊Ｄ＊Ｅ１；
Ｅ（＊Ｄ＊Ｇ＊Ｄ＊Ａ）ａ ＊Ｄ＊Ｇ＊Ｄ＊Ｅ１又は
Ｅ（＊Ｄ＊Ａ＊Ｄ＊Ｇ）ａ ＊Ｄ＊Ａ＊Ｄ＊Ｅ１
式中、
Ｄは、６〜３０個の炭素原子を有するアルキルジラジカル、アルキルシクロアルキルジラジカル、シクロアルキルジラジカル、アリールジラジカル又はアルキルアリールジラジカルを示し、
Ｇは、１〜４０個の炭素原子を有するアルキルジラジカル、シクロアルキルジラジカル、アルキルシクロアルキルジラジカル、アリールジラジカル又はアルキルアリールジラジカルを示し、これは、主鎖中にエーテル、チオ又はアミン結合を含有できる。
＊はウレタン又はウレイド結合を意味し、
ａは、少なくとも１であり、
Ａは次の式の二価重合ラジカルを示し、
【化４】
2014182387.tif 000006
Ｒ１１は独立して、１〜１０個の炭素原子を有するアルキル又はフルオロ置換アルキル基を示し、これは、炭素原子間にエーテル結合を含み得、ｙは、少なくとも１であり、ｐは、４００〜１０，０００の部分重量を提供し、Ｅ及びＥ１はそれぞれ独立して、以下の式によって表される重合性不飽和有機ラジカルを示し、
【化５】
2014182387.tif 000007
式中、Ｒ１２は水素又はメチルであり、Ｒ１３は水素、１〜６個の炭素原子を有するアルキルラジカル又はａ−ＣＯ−Ｙ−Ｒ１５ラジカルであってＹは−Ｏ−、Ｙ−Ｓ−又は−ＮＨ−であり、Ｒ１４は１〜１２個の炭素原子を有する二価ラジカルであり、Ｘは−ＣＯ−又は−ＯＣＯ−を示し、Ｚは−Ｏ−又は−ＮＨ−を示し、Ａｒは６〜３０個の炭素原子を有する芳香族ラジカルを示し、ｗは０〜６であり、ｘは０又は１であり、ｙは０又は１であり、ｚは０又は１である。
【００８７】
１つの好ましいシリコーン含有成分は、以下の式で示されるポリウレタンマクロマーである。
【００８８】
式ＩＸ（この完全な構造は、対応するアスタリスク領域＊〜＊、＊＊〜＊＊をつなぎ合わせることによって理解され得る）
【化６】
2014182387.tif 000008
式中、Ｒ１６は、イソホロンジイソシアネートのジラジカルなどのイソシアネート基除去後のジイソシアネートのジラジカルである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【００８９】
式Ｘ（この完全な構造は、対応するアスタリスク領域＊〜＊をつなぎ合わせることによって理解され得る）
【化７】
2014182387.tif 000009
【００９０】
本発明の使用に好適な他のシリコーン含有成分には、ポリシロキサン、ポリアルキレンエーテル、ジイソシアネート、ポリフッ素化炭化水素、ポリフッ素化エーテル、及び多糖類基を含有するマクロマー、末端のジフルオロで置換された炭素原子に結合する水素原子を有する、極性のフッ素化グラフト又は側基を有するポリシロキサン、エーテルを含有する親水性シロキサニルメタクリレート、並びにポリエーテル及びポリシロキサニル基を含有するシロキサニル結合及び架橋性モノマーが含まれる。また、前述のポリシロキサンのいずれも、シリコーン含有成分として本発明に使用することもできる。
【００９１】
結論
上記に説明され、かつ以下の特許請求の範囲によって更に定義される本発明は、マルチピース型インサート及び／又は埋め込みインサートとともに形成される眼用レンズをパターン化するための方法を提供する。本発明は、そのような方法、並びにパターン化されたマルチピース型インサートとともに形成される眼用レンズを実装するための装置も含む。
【００９２】
〔実施の態様〕
（１）  眼用レンズのためのマルチピース型インサートデバイスであって、
第１のインサートの後方湾曲ピースと、
前記第１のインサートの後方湾曲ピースに近接した第１のインサートの前方湾曲ピースと、
前記第１のインサートの前方湾曲ピース及び前記第１のインサートの後方湾曲ピースのうちの一方又は両方の上の導電性材料のパターンと、
前記第１のインサートの前方湾曲ピース及び前記第１のインサートの後方湾曲ピースのうちの一方又は両方に取り付けられる電子コンポーネントであって、取り付けが前記導電性材料に対して少なくとも部分的に行われる、電子コンポーネントと、
前記第１のインサートの前方湾曲ピース及び前記第１のインサートの後方湾曲ピースのうちの一方又は両方の表面上の第１の着色剤パターンと、を備える、デバイス。
（２）  前記第１の後方湾曲ピースに接触した少なくとも第２のインサートの後方湾曲ピースを更に備える、実施態様１に記載のデバイス。
（３）  前記第１の着色剤パターンが角膜縁輪パターン（limbal ring pattern）である、実施態様１に記載のデバイス。
（４）  前記第１の着色剤パターンが虹彩パターンである、実施態様１に記載のデバイス。
（５）  前記第１の着色剤パターンが、前記インサート内のコンポーネントの外観を変化させることによって前記コンポーネントの観察を妨害するカモフラージュパターンである、実施態様１に記載のデバイス。
【００９３】
（６）  前記第１の着色剤パターン内に、前記パターン化が可視光の前記インサート表面の通過を可能にする第１の領域が存在する、実施態様１に記載のデバイス。
（７）  前記インサートの前方湾曲ピースと前記インサートの後方湾曲ピースとの間であり、かつ前記パターン化が可視光の通過を可能にする前記第１の領域の後方に、光検出器が位置付けられる、実施態様６に記載のデバイス。
（８）  前記第１の着色剤パターン内に、可視光に対して不透明な着色剤を備える第２の領域が存在する、実施態様６に記載のデバイス。
（９）  前記インサートの前方湾曲ピースと前記インサートの後方湾曲ピースとの間であり、かつ前記第１の着色剤パターン内の前記第２の領域の後方に、集積回路デバイスの少なくとも一部分が存在する、実施態様８に記載のデバイス。
（１０）  前記角膜縁輪パターンが黒色の着色剤を備える、実施態様３に記載のデバイス。
【００９４】
（１１）  眼用レンズデバイスであって、
少なくとも第１のインサートの後方湾曲ピースと、
少なくとも第１のインサートの前方湾曲ピースと、
前記第１のインサートの前方湾曲ピース及び前記第１のインサートの後方湾曲ピースのうちの一方又は両方の上の導電性材料と、
前記第１のインサートの前方湾曲ピース及び第１のインサートの後方湾曲ピースのうちの一方又は両方に取り付けられる電子コンポーネントであって、取り付けが前記導電性材料に対して行われる、電子コンポーネントと、
封入層であって、前記インサート封入層がヒドロゲルである、封入層と、
前記封入層の表面上の第１の着色剤パターンと、を備える、デバイス。
（１２）  第２のインサートの後方湾曲ピースを更に備える、実施態様１１に記載のデバイス。
（１３）  前記第１の着色剤パターンが角膜縁輪パターンである、実施態様１１に記載のデバイス。
（１４）  前記第１の着色剤パターンが虹彩パターンである、実施態様１１に記載のデバイス。
（１５）  前記第１の着色剤パターンが、前記インサート内のコンポーネントの外観を変化させることによって前記コンポーネントの観察を妨害するカモフラージュパターンである、実施態様１１に記載のデバイス。
【００９５】
（１６）  前記第１の着色剤パターン内に、前記パターン化が可視光の前記インサートの前方湾曲表面の通過を可能にする第１の領域が存在する、実施態様１１に記載のデバイス。
（１７）  前記インサートの前方湾曲ピースと前記インサートの後方湾曲ピースとの間であり、かつ前記パターン化が可視光の通過を可能にする前記第１の領域の後方に、光検出器が位置付けられる、実施態様１６に記載のデバイス。
（１８）  前記第１の着色剤パターン内に、可視光に対して不透明な着色剤を備える第２の領域が存在する、実施態様１６に記載のデバイス。
（１９）  前記インサートの前方湾曲ピースと前記インサートの後方湾曲ピースとの間であり、かつ前記第１の着色剤パターン内の前記第２の領域の後方に、集積回路デバイスの少なくとも一部分が存在する、実施態様１８に記載のデバイス。
（２０）  液体メニスカスレンズ素子を更に備える、実施態様１１に記載のデバイス。
【００９６】
（２１）  前記インサート及びパターン上のコーティングを更に備え、前記コーティングが、前記コーティングを有しない前記インサート及びパターンよりも確実な接着特性を備える、実施態様１１に記載のデバイス。
（２２）  前記コーティングがパラレンを備える、実施態様２１に記載のデバイス。
【図１】
2014182387.tif 000010
【図２】
2014182387.tif 000011
【図３】
2014182387.tif 000012
【図４】
2014182387.tif 000013
【図５】
2014182387.tif 000014
【図６】
2014182387.tif 000015
【外国語明細書】
2014182387000001.pdf